(57)【要約】【課題】利用者の提示したカードでの取引を、ＰＯＳ端末とカード端末とを連動して処理するクレジットカード取引システムに関し、ＰＯＳ端末とカード端末を動的に連動する。【解決手段】カード端末（１）とＰＯＳ端末（２）と、サーバ（４−１、４−２）とを有し、サーバ（４−２）に連動すべき端末を登録したテーブル（５−１）を設ける。テーブル（５−１）の連動情報を問い合わせて、ＰＯＳ端末からクレジットカードの与信チエックを行う場合に、そのエリア（近く）の使用中でないカード端末を自動選択する、又は、カード端末からサーバに問い合わせ、近くで空いているＰＯＳ端末を選択し、与信チエックの結果による取引処理（レシート発行等）を実行する等、最適なＰＯＳ端末とカード端末とを連動して、クレジットカード取引処理できる。【選択図】図４
2005128843.tif 000002
【特許請求の範囲】
【請求項１】
利用者のカード取引に伴う、商品登録処理を行うＰＯＳ端末と、
クレジットカード情報処理センターと交信して、カードの決済処理を行う複数のカード端末と、
前記ＰＯＳ端末と前記複数のカード端末に接続され、且つ前記ＰＯＳ端末と前記カード端末とを連動するための登録テーブルを有するサーバとを有し、
クレジットカードによる取引を行うに際し、前記サーバは、前記ＰＯＳ端末又は前記カード端末からの問い合わせに応じて、前記テーブルを参照して、前記ＰＯＳ端末又は前記一のカード端末と連動すべき前記一のカード端末又は前記ＰＯＳ端末を自動決定し、前記決定された前記一のカード端末と前記ＰＯＳ端末の連動により、前記クレジットカードの取引処理を実行する
ことを特徴とするクレジットカード取引システム。
【請求項２】
前記サーバの前記テーブルは、前記ＰＯＳ端末と前記カード端末との使用情報を格納し、
前記サーバは、前記ＰＯＳ端末又は前記カード端末からの問い合わせに応じて、前記テーブルの使用情報を参照して、使用されていない一のカード端末又は前記ＰＯＳ端末を自動決定する
ことを特徴とする請求項１のクレジットカード取引システム。
【請求項３】
前記サーバの前記テーブルは、前記ＰＯＳ端末と前記カード端末とのエリア情報を格納し、
前記サーバは、前記ＰＯＳ端末又は前記カード端末からの問い合わせに応じて、前記テーブルのエリア情報を参照して、対応するエリアの一のカード端末又は前記ＰＯＳ端末を自動決定する
ことを特徴とする請求項１のクレジットカード取引システム。
【請求項４】
利用者のカード取引に伴う、商品登録処理を行うＰＯＳ端末と、クレジットカード情報処理センターと交信して、カードの決済処理を行うカード端末とを連動して、カード取引を行うクレジットカード取引システムの端末連動方法において、
前記ＰＯＳ端末と前記カード端末とを連動するための登録テーブルを有するサーバに、前記ＰＯＳ端末又は前記カード端末からの問い合わせを行うステップと、
前記問い合わせに応じて、前記テーブルを参照して、前記ＰＯＳ端末又は前記一のカード端末と連動すべき前記一のカード端末又は前記ＰＯＳ端末を自動決定するステップと、
前記決定された前記一のカード端末と前記ＰＯＳ端末の連動により、前記クレジットカードの取引処理を実行するステップとを有する
ことを特徴とするクレジットカード取引システムの端末連動方法。
【請求項５】
前記サーバの前記テーブルは、前記ＰＯＳ端末と前記カード端末との使用情報を格納し、
前記自動決定ステップは、前記ＰＯＳ端末又は前記カード端末からの問い合わせに応じて、前記テーブルの使用情報を参照して、使用されていない一のカード端末又は前記ＰＯＳ端末を自動決定するステップからなる
ことを特徴とする請求項４のクレジットカード取引システムの端末連動方法。
【発明の詳細な説明】
【技術分野】
【０００１】
本発明は、クレジットカードによる商取引を行うクレジットカード取引システム及びその端末連動方法に関し、特に、クレジットカードの決済処理専用の端末と、ＰＯＳ端末を連動して、クレジットカードによる商取引を行うクレジットカード取引システム及びその端末連動方法に関する。
【背景技術】
【０００２】
クレジットカードの普及に伴い、クレジットカードの与信チエックが重要な課題となっている。このため、クレジットカード情報処理センターに与信情報を格納しておき、クレジットカード端末から与信の問い合わせを行う方法が利用されている。
【０００３】
このクレジットカードの取引システムにおいて、クレジットカード情報処理セ
ンターが定めた仕様のクレジット端末を、ＰＯＳ端末と別に設けるシステム構成を取ることがある。このシステムでは、加盟店の業種や加盟店の方針により、クレジットカードによる実際の商取引に先立ち、利用者のクレジットカードの与信チエックが可能となる。
【０００４】
図１２は、従来のクレジットカード取引システムの説明図であり、クレジット情報処理センター６３に接続されたクレジットカード端末（以下、カード端末という）６２が、ＰＯＳ（Point Of Sales）端末６０と連動する。
【０００５】
クレジット情報処理センター６３は、カード端末６２の決済要求により、与信チエックを行う。ＰＯＳ端末６０は、商品登録処理及び伝票発行処理を行う。ここでは、クレジットカードによる商品登録処理も行う。カード端末６２は、ＰＯＳ端末６０からのクレジットカード決済要求を受け、クレジット情報処理センター６３にクレジットカードの決済要求を送信し、クレジット情報処理センター６３から決済応答を受ける。
【０００６】
ＰＯＳ端末６０では、この決済応答を受け、表示する。係員は、与信不可なら、カード取引を拒否する。一方、与信可であれば、ＰＯＳ端末６０に商品登録した内容の通り、売上登録処理する。処理が正常終了した場合には、ＰＯＳ端末６０は、売上伝票出力処理を行い、取引金額の売上伝票を発行する。
【０００７】
このように、クレジットカード加盟店等の方針により、クレジットカードの与信チエック用のカード端末６２を別に設けることにより、ＰＯＳ端末６０で、カードデータの不正取得、不正利用を防止できる（例えば、特許文献１参照）。
【特許文献１】特開昭６０−１９５６６７号公報
【発明の開示】
【発明が解決しようとする課題】
【０００８】
この従来技術では、ＰＯＳ端末とカード端末とが、１：１に組み合わされて、固定的に利用されていた。しかしながら、近年の店舗での販売業務の効率化及び店舗規模の増大に伴い、クレジットカード処理の高速化が要求されている。このため、１つの店舗に、複数台のＰＯＳ端末及び複数台のカード端末を設置するようになってきた。又、カード端末もモバイル形態のものも提供されている。
【０００９】
このような構成において、従来のように、ＰＯＳ端末とカード端末が、１：１の関係に固定されている場合には、１のＰＯＳ端末は、固定的に関係付けられたカード端末と連動して、クレジットカードによる売上処理を行う必要がある。このため、使用中でないカード端末やＰＯＳ端末を組み合わせて、クレジットカードによる売上処理を行うことが難しく、装置を効率良く使用することが困難である。
【００１０】
例えば、複数のモバイル形態のカード端末を有するＰＯＳシステムにおいて、ＰＯＳ端末から利用場所に近いカード端末や使用中でないカード端末を使用して、クレジットカードのチエックを行うことや、逆に、カード端末から使用中でないＰＯＳ端末を利用して、レシート発行等を行うことは、困難であり、有機的な連動動作が実現できない。
【００１１】
従って、本発明の目的は、ＰＯＳ端末とカード端末とを動的に接続し、有機的な連動動作を行い、クレジットカード取引するためのクレジットカード取引システム及びクレジットカード取引システムの端末連動方法を提供することにある。
【００１２】
又、本発明の他の目的は、クレジットカード取引において、使用中でないカード端末とＰＯＳ端末とを動的に接続し、クレジットカード取引を高速化するためのクレジットカード取引システム及びクレジットカード取引システムの端末連動方法を提供することにある。
【００１３】
更に、本発明の他の目的は、カード端末又はＰＯＳ端末から、その端末の近くのＰＯＳ端末又はカード端末を動的に接続し、クレジットカード取引の利便性を向上するためのクレジットカード取引システム及びクレジットカード取引システムの端末連動方法を提供することにある。
【課題を解決するための手段】
【００１４】
この目的の達成のため、本発明のクレジットカード取引システムは、利用者のカード取引に伴う、商品登録処理を行うＰＯＳ端末と、クレジットカード情報処理センターと交信して、カードの決済処理を行う複数のカード端末と、前記ＰＯＳ端末と前記複数のカード端末に接続され、且つ前記ＰＯＳ端末と前記カード端末とを連動するための登録テーブルを有するサーバとを有し、クレジットカードによる取引を行うに際し、前記サーバは、前記ＰＯＳ端末又は前記カード端末からの問い合わせに応じて、前記テーブルを参照して、前記ＰＯＳ端末又は前記一のカード端末と連動すべき前記一のカード端末又は前記ＰＯＳ端末を自動決定し、前記決定された前記一のカード端末と前記ＰＯＳ端末の連動により、前記クレジットカードの取引処理を実行する。
【００１５】
又、本発明のクレジットカード取引システムの端末連動方法は、利用者のカード取引に伴う、商品登録処理を行うＰＯＳ端末と、クレジットカード情報処理センターと交信して、カードの決済処理を行うカード端末とを連動して、カード取引を行うクレジットカード取引システムの端末連動方法において、前記ＰＯＳ端末と前記カード端末とを連動するための登録テーブルを有するサーバに、前記ＰＯＳ端末又は前記カード端末からの問い合わせを行うステップと、前記問い合わせに応じて、前記テーブルを参照して、前記ＰＯＳ端末又は前記一のカード端末と連動すべき前記一のカード端末又は前記ＰＯＳ端末を自動決定するステップと、前記決定された前記一のカード端末と前記ＰＯＳ端末の連動により、前記クレジットカードの取引処理を実行するステップとを有する。
【００１６】
更に、本発明では、好ましくは、前記サーバの前記テーブルは、前記ＰＯＳ端末と前記カード端末との使用情報を格納し、前記サーバは、前記ＰＯＳ端末又は前記カード端末からの問い合わせに応じて、前記テーブルの使用情報を参照して、使用されていない一のカード端末又は前記ＰＯＳ端末を自動決定する。
【００１７】
更に、本発明では、好ましくは、前記サーバの前記テーブルは、前記ＰＯＳ端末と前記カード端末とのエリア情報を格納し、前記サーバは、前記ＰＯＳ端末又は前記カード端末からの問い合わせに応じて、前記テーブルのエリア情報を参照して、対応するエリアの一のカード端末又は前記ＰＯＳ端末を自動決定する。
【００１８】
更に、本発明では、好ましくは、前記ＰＯＳ端末は、前記利用者のカードを読み取り、前記カード端末に前記読み取ったカード情報を送信する。
【００１９】
更に、本発明では、好ましくは、前記カード端末は、前記利用者のカードを読み取り、前記ＰＯＳ端末の決済依頼に応じて、前記読み取った利用者のカード情報により、前記クレジットカード情報処理センターに与信チエックを依頼する。
【００２０】
更に、本発明では、好ましくは、前記カード端末は、無線モバイル端末からなる。
【００２１】
更に、本発明では、好ましくは、前記サーバは、前記カード端末の初期設定値を登録したテーブルを有し、前記カード端末の各々に、前記初期設定値をダウンロードして、前記カード端末を初期化する。
【発明の効果】
【００２２】
本発明では、サーバに連動すべき端末を登録したテーブルを設け、ＰＯＳ端末からクレジットカードの与信チエックを行う場合に、そのエリア（近く）の使用中でないカード端末を自動選択する、又は、カード端末からサーバに問い合わせ、近くで空いているＰＯＳ端末を選択し、与信チエックの結果による取引処理（レシート発行等）を実行する等、最適なＰＯＳ端末とカード端末とを連動して、クレジットカード取引処理できる。
【発明を実施するための最良の形態】
【００２３】
以下、本発明の実施の形態を、クレジットカード取引システムの第１の実施の形態、クレジットカード取引連動処理、カード端末の初期設定、クレジットカード取引システムの第２の実施の形態、他の実施の形態の順で説明する。
【００２４】
［クレジットカード取引システムの第１の実施の形態］
図１は、本発明の一実施の形態のクレジットカード取引システムの構成図、図２は、図１のクレジットカード取引システムのブロック図、図３は、図１及び図２のシステムの機器登録テーブルの説明図である。
【００２５】
図１に示すように、クレジットカード取引システムは、複数台（図では、２台）のＰＯＳ端末２−１、２−２と、複数台（図では、４台）のカード端末１−１、１−２、１−３、１−４と、複数台（図では、２台）のサーバ（又は親ＰＯＳ端末）４−１、４−２とで構成される。
【００２６】
カード端末１−１、１−２、１−３、１−４は、モバイル形態の無線端末で構成されており、無線アクセスポイント６と無線通信を行う。ＰＯＳ端末２−１、２−２は、ＬＡＮ（Local  Area  Network）９により、無線アクセスポイント６を介しカード端末１−１、１−２、１−３、１−４に接続可能であり、クレジットカードによる商品登録処理及び伝票発行処理を行う。
【００２７】
サーバ（又は親ＰＯＳ端末）４−１、４−２は、ファイル装置５を備え、ＬＡＮ９での接続制御等を行う。又、サーバ４−１、４−２が、親ＰＯＳ端末で構成されている場合には、ＰＯＳ端末２−１、２−２と同様に、商品登録処理及び伝票発行処理を行う。サーバ４−１、４−２のファイル装置５は、図３で後述する機器登録テーブル５−１を格納する。又、サーバ４−２のファイル装置５は、図９で後述する端末設定情報テーブル５−２を格納する。
【００２８】
ルータ７−１は、カード端末１−１、１−２、１−３、１−４からのクレジットカード決済要求を受け、クレジット情報処理センター３にクレジットカードの決済要求を送信し、クレジット情報処理センター３から決済応答を受け、カード端末１−１、１−２、１−３、１−４に伝達する。
【００２９】
ルータ７−２は、ＰＯＳ端末２−１、２−２を含むＰＯＳシステムの本部センター８と、ＰＯＳ端末２−１、２−２と、あるいはサーバ又は親ＰＯＳ端末４−１、４−２とを接続し、売上金集計、売上商品の集計、在庫管理等を行う。
【００３０】
図２は、図１のＰＯＳ端末２（２−１、２−２）と、カード端末１（１−１、１−２、１−３、１−４）と、クレジット情報処理センター（決済情報処理センター又はクレジットカード会社のセンター）３とのブロック図である。図２に示すように、ＰＯＳ端末２は、ＰＯＳアプリケーションプログラム２８を実行するＣＰＵ２０、メモリ２１、ＬＡＮ９との通信制御部２２、表示部２３、キー入力部２４、伝票プリンタ３７を制御する伝票出力部２５、ファイル装置２７を制御するファイル制御部２６を備える。
【００３１】
又、カード端末１は、クレジットカード決済処理プログラム１９を実行するＣＰＵ１０、メモリ１１、無線アクセスポイント６を介するＬＡＮ９との通信制御部１２、クレジット情報処理センター３との接続のための通信制御部１３、キー入力部１４、ＩＣカード入出力部１５と、表示部１６と、磁気カード入力部１７と、クレジットカードデータの暗号化のための暗号処理機構１８を備える。
【００３２】
図３は、図１の機器登録テーブル５−１の構成図である。図３に示すように、ネットワーク９に接続された各機器の論理名、ＩＰアドレス、機器種類の他に、その機器のエリアを示すエリア情報と、優先順位と、ネットワークでの機器の使用情報とを格納する。
【００３３】
論理名は、ソフトウェアが認識する機器名であり、ＩＰアドレスは、機器のネットワーク上でのアドレスであり、機器種類は、サーバ、ＰＯＳ、ＣＣＴ（カード端末）等の機器の種類である。エリア情報は、図１で示すように、店舗内での各機器の担当エリア（例えば、店舗の１フロアを分割したエリア）を示し、優先順位は、機器種類毎に付けられた優先順位である。使用情報は、ＰＯＳ端末とカード端末とが連動する場合に、図４で説明する処理で自動決定された連動機器の論理名を示す。
【００３４】
図１では、エリアＡを、ＰＯＳ端末２−１、カード端末１−１、１−２が、エリアＢを、ＰＯＳ端末２−２、カード端末１−３、１−４が、担当するので、図３のエリア情報が、これと対応してセットされている。本発明では、この機器登録テーブル５−１を使用して、クレジットカード取引時に、連動するＰＯＳ端末とカード端末を自動決定する。
【００３５】
［クレジットカード取引連動処理］
図４乃至図７により、ＰＯＳ端末２（２−１、２−２）と、カード端末１（１−１、１−２、１−３、１−４）とを連動したカード取引処理を説明する。図４は、本発明の一実施の形態のクレジットカード取引処理の説明図、図５は、その連動先自動決定処理フロー図、図６は、図５の動作説明図、図７は、そのＰＯＳ端末とカード端末の電文のやり取りの説明図である。
【００３６】
以下、図４に従い、図５乃至図７を用いて、クレジットカード取引連動処理を説明する。尚、この図では、ガソリンスタンドにおけるＰＯＳ端末から処理に最適なカード端末に、クレジットカードのチエック処理を依頼する例を示すが、カード端末から処理に最適なＰＯＳ端末に、販売処理を依頼する場合も同様である。
【００３７】
（Ｓ１）利用者が、カードでの支払を選択すると、ＰＯＳ端末２からサーバ４−２（又は４−１）にカード端末の問い合わせを行う。サーバ４−２は、図５に示す連動端末選択処理を実行する。即ち、サーバ４−２は、ファイル装置５の機器登録テーブル５−１を参照して、問い合わせ端末（ＰＯＳ端末）２のエリア情報に示されたエリアのカード端末１を検索する。次に、テーブル５−１の優先順位情報から、検索されたカード端末１の優先順位の上位のカード端末を選択し、選択されたカード端末が使用中かを、テーブル５−１の使用情報から判定する。使用中であれば、次の優先順位の端末を選択し、より優先順位の高い未使用の端末を選択する。
【００３８】
（Ｓ２）そして、サーバ４−２は、テーブル５−１の使用情報に、選択された端末名を書き込み、使用中に設定し、問い合わせ端末（ＰＯＳ端末）２に、選択されたカード端末１を応答する。例えば、図６に示すように、ＰＯＳ０３（ＰＯＳ端末２−２）の問い合わせに対し、図３の機器登録テーブル５−１からＣＣＴ０４（カード端末１−４）が自動選択される。
【００３９】
（Ｓ３）ＰＯＳ端末２は、ＬＡＮ９を介し、図７に示すように、選択されたカード端末１とセッションを確立した（接続要求及びＡＣＫ）後、開始要求、開始通知をやりとりする。その後、ＰＯＳ端末２からカード端末１に取引準備電文を送信する。カード端末１では、磁気カード入力部１７で、利用者のクレジットカード３０の磁気ストライプの磁気情報を読み取り、リードしたことをＰＯＳ端末２に通知する。
【００４０】
（Ｓ４）一方、ＰＯＳ端末２のキー入力部２４で、カード与信処理依頼を選択し、取引種別と、売上金額、支払方法等を入力する。ＰＯＳ端末２のＣＰＵ２０は、要求電文を作成し、カード端末１に決済要求を送信する。
【００４１】
（Ｓ５）カード端末１は、与信照会処理により決済要求電文（磁気情報と要求電文を含む）を作成し、ルータ７−１、ネットワーク１２０を介しクレジット情報処理センター３に、決済を要求する。
【００４２】
（Ｓ６）クレジット情報処理センター３では、決済要求電文に含まれるクレジットカードの与信チエックを行い、ネットワーク１２０、ルータ７−１を介し決済結果をカード端末１に応答する。
【００４３】
（Ｓ７）カード端末１は、完了処理により、ＰＯＳ端末２に処理結果を通知し、且つセキュリテイのため、読取った磁気カード情報を消去する。
【００４４】
（Ｓ８）ＰＯＳ端末２では、この受信した与信結果を表示し、カード端末１に終了要求を通知し、終了通知を受け、接続を切断する。係員は、与信不可なら、カード取引を拒否する。一方、与信可であれば、ＰＯＳ端末２は、第２のＬＡＮ９−１を介しガソリンのポンプ１００に，給油許可を通知する。
【００４５】
（Ｓ９）ポンプ１００の給油完了により、ＰＯＳ端末２は、売上登録処理及び売上伝票出力処理を行い、伝票出力部２５を介し伝票プリンタ３７を制御して、取引金額のクレジット売上伝票を発行する。
【００４６】
又、前述の電文のやりとりは、サーバ４−２を介して行われ、ＰＯＳ端末２とカード端末１との接続切断により、サーバ４−２は、ファイル装置５の機器登録テーブル５−１の使用情報を更新する（未使用に変更する）。
【００４７】
このように、ＰＯＳ端末からクレジットカードの与信チエックを行う場合に、そのエリア（近く）の使用中でないカード端末を自動選択するため、クレジットカード取引の連動処理を、カード利用者の近くで、カード利用者を待たせることなく、実現できる。
【００４８】
同様に、カード端末１からサーバ４−２に問い合わせ、近くで空いているＰＯＳ端末を選択し、与信チエックの結果による取引処理（レシート発行等）を実行できる。図６では、サーバ４−１が、カード端末ＣＣＴ０３に最適なＰＯＳ端末ＰＯＳ０２を選択する例を示す。これによっても、クレジットカード取引の連動処理を、カード利用者の近くで、カード利用者を待たせることなく、実現できる。
【００４９】
更に、図７に示すように、ＰＯＳ端末２とカード端末１との電文のヘッダには、ＰＯＳ番号、カード端末番号の他に、電文送信毎に、カウントアップ（＋１）するＰＯＳ処理通番と、カード端末処理通番とを付加する。
【００５０】
これにより、通信異常などにより、ＰＯＳ端末にて、正常に売上などの取引をレシートが印字できなかった場合、ＰＯＳ端末より該当決済カード端末に対して、再通信し、決済カード端末の取引通番が、前回の取引通番よりＵＰされている場合は、取消処理を実施するかまたは、該当の集計情報から取引レシートを印字することができる。
【００５１】
特に、ＰＯＳ端末とカード端末が、１：１に固定されていない本発明の場合には、交信通路が複雑となるため、通信異常時のリカバリ処理に有効である。
【００５２】
［カード端末の初期化］
次に、カード端末の初期化を、図８及び図９で説明する。前述の図１において、サーバ４−２は、端末設定情報登録テーブル５−２を、ファイル装置５に有している。この端末設定情報テーブル５−２は、図８に示すように、工場にて、カード決済端末の固定の通信番号ＴＩＤと製造番号ＰＩＤを登録する。また、製造番号ＰＩＤに対する、設置する情報（論理名、アドレス、エリアＧｒ）及びＣＣＴ業務設定値（クレジットセンターアドレス，ポート番号、業務範囲、フロアリミット値、サーバアドレス１、２等）を、テーブル５−２に登録する。
【００５３】
そして、図９に示すように、カード決済端末１−１、１−２、１−３、１−４を設置時に、設置情報管理一覧テーブル５−２を持つサーバ４−２から、その固定通信番号のカード端末に接続し、その端末へＰＩＤを問い合わせ、テーブル５−２の通知された製造番号ＰＩＤにリンクした設定情報を、端末にダウンロードする。その後、設定の反映や自動でＤＬＬやオンラインテストまで実施する。
【００５４】
このようにすると、多数のカード決済端末が設置されても、初期情報の設定を自動化でき、設定ミスを防止できる。
【００５５】
［クレジットカード取引システムの第２の実施の形態］
図１０は、本発明の他の実施の形態のクレジットカード取引システムの構成図、図１１は、図１０のクレジットカード取引システムのブロック図である。
【００５６】
図１０において、図１及び図３で示したものと同一のものは、同一の記号で示してある。この例では、複数台（図では３台）のカード決済端末１が、ハブ１−１で接続されたＣＣＴ−ＢＯＸ１−２をＬＡＮ９に接続している。そして、クレジット情報処理センター３は、ルータ７−１及びハブ１−２を介するカード端末（ＣＣＴ）１の与信、決済要求により、クレジットカードの与信チエックを行う。この実施の形態では、カード決済端末１は、磁気カード入力部やＩＣカード入力部、表示部、キー入力部を持たず、ＰＯＳ端末２に磁気カード入力部、ＩＣカード入力部、表示部、キー入力部を持つ。
【００５７】
図１１は、図１０のＰＯＳ端末２と、カード端末１と、クレジット情報処理センター（決済情報処理センター又はクレジットカード会社のセンター）３とのブロック図である。図１１に示すように、ＰＯＳ端末２は、ＰＯＳアプリケーションプログラム２８を実行するＣＰＵ２０、メモリ２１、ＬＡＮ９との通信制御部２２、表示部２３、キー入力部２４、伝票プリンタ７を制御する伝票出力部２５、ファイル装置２７を制御するファイル制御部２６、磁気カード入力部２９とを備える。
【００５８】
又、図５でも説明したように、カード端末１は、クレジットカード決済処理プログラム１９を実行するＣＰＵ１０、メモリ１１、ＬＡＮ９との通信制御部１２、クレジット情報処理センター３との接続のための通信制御部１３、クレジットカードデータの暗号化のための暗号処理機構１８を備える。
【００５９】
サーバ４−２は、ファイル装置５に、図３に示したような機器登録テーブル５−１を備える。以下、図１０により、クレジットカード取引連動処理を説明する。尚、この図では、ガソリンスタンドにおけるＰＯＳ端末から処理に最適なカード端末に、クレジットカードのチエック処理を依頼する例を示すが、カード端末から処理に最適なＰＯＳ端末に、販売処理を依頼する場合も同様である。
【００６０】
（Ｓ１）利用者が、カードでの支払を選択すると、ＰＯＳ端末２からサーバ４−２（又は４−１）にカード端末の問い合わせを行う。サーバ４−２は、図５で示した連動端末選択処理を実行する。即ち、サーバ４−２は、ファイル装置５の機器登録テーブル５−１を参照して、問い合わせ端末（ＰＯＳ端末）２のエリア情報に示されたエリアのカード端末１を検索する。次に、テーブル５−１の優先順位情報から、検索されたカード端末１の優先順位の上位のカード端末を選択し、選択されたカード端末が使用中かを、テーブル５−１の使用情報から判定する。使用中であれば、次の優先順位の端末を選択し、より優先順位の高い未使用の端末を選択する。
【００６１】
（Ｓ２）そして、サーバ４−２は、テーブル５−１の使用情報に、選択された端末名を書き込み、使用中に設定し、問い合わせ端末（ＰＯＳ端末）２に、選択されたカード端末１を応答する。例えば、図６に示したように、ＰＯＳ０３（ＰＯＳ端末２−２）の問い合わせに対し、図３の機器登録テーブル５−１からＣＣＴ０４（カード端末１−４）が自動選択される。
【００６２】
（Ｓ３）ＰＯＳ端末２は、ＬＡＮ９を介し、選択されたカード端末１とセッションを確立した（接続要求及びＡＣＫ）後、開始要求、開始通知をやりとりする。その後、ＰＯＳ端末２の磁気カード入力部２９で、利用者のクレジットカードの磁気ストライプの磁気情報を読み取り、ＰＯＳ端末２のキー入力部２４で、カード与信処理依頼を選択し、取引種別と、売上金額、支払方法等を入力する。ＰＯＳ端末２のＣＰＵ２０は、要求電文を作成し、カード端末１に決済要求を送信する。
【００６３】
（Ｓ４）選択されたカード端末１は、与信照会処理により決済要求電文（磁気情報と要求電文を含む）を作成し、ルータ７−１、ネットワーク１２０を介しクレジット情報処理センター３に、決済を要求する。
【００６４】
（Ｓ５）クレジット情報処理センター３では、決済要求電文に含まれるクレジットカードの与信チエックを行い、ネットワーク１２０、ルータ７−１を介し決済結果をカード端末１に応答する。
【００６５】
（Ｓ６）カード端末１は、完了処理により、ＰＯＳ端末２に処理結果を通知し、且つセキュリテイのため、読取った磁気カード情報を消去する。
【００６６】
（Ｓ７）ＰＯＳ端末２では、この受信した与信結果を表示し、カード端末１に終了要求を通知し、終了通知を受け、接続を切断する。係員は、与信不可なら、カード取引を拒否する。一方、与信可であれば、ＰＯＳ端末２は、第２のＬＡＮ９−１を介しガソリンのポンプ１００に，給油許可を通知する。
【００６７】
（Ｓ８）ポンプ１００の給油完了により、ＰＯＳ端末２は、売上登録処理及び売上伝票出力処理を行い、伝票出力部２５を介し伝票プリンタ３７を制御して、取引金額のクレジット売上伝票を発行する。
【００６８】
又、前述の電文のやりとりは、サーバ４−２を介して行われ、ＰＯＳ端末２とカード端末１との接続切断により、サーバ４−２は、ファイル装置５の機器登録テーブル５−１の使用情報を更新する（未使用に変更する）。
【００６９】
このように、ＰＯＳ端末からクレジットカードの与信チエックを行う場合に、そのエリア（近く）の使用中でないカード端末を自動選択するため、クレジットカード取引の連動処理を、カード利用者を待たせることなく、実現できる。
【００７０】
同様に、カード端末１からサーバ４−２に問い合わせ、近くで空いているＰＯＳ端末を選択し、与信チエックの結果による取引処理（レシート発行等）を実行できる。クレジットカード取引の連動処理を、カード利用者の近くで、カード利用者を待たせることなく、実現できる。
【００７１】
更に、図７に示したように、ＰＯＳ端末２とカード端末１との電文のヘッダには、ＰＯＳ番号、カード端末番号の他に、電文送信毎に、カウントアップ（＋１）するＰＯＳ処理通番と、カード端末処理通番とを付加する。
【００７２】
これにより、通信異常などにより、ＰＯＳ端末にて、正常に売上などの取引をレシートが印字できなかった場合、ＰＯＳ端末より該当決済カード端末に対して、再通信し、決済カード端末の取引通番が、前回の取引通番よりＵＰされている場合は、取消処理を実施するかまたは、該当の集計情報から取引レシートを印字することができる。
【００７３】
特に、ＰＯＳ端末とカード端末が、１：１に固定されていない本発明の場合には、交信通路が複雑となるため、通信異常時のリカバリ処理に有効である。
【００７４】
［他の実施の形態］
前述の実施の形態では、クレジットカードを磁気カードで説明したが、ＩＣカードや光カード等の他のカード媒体を適用できる。同様に、ＰＯＳ端末は、実施の形態の単機能のＰＯＳ端末に限らず、所謂商品登録処理できるものであれば良い。店舗をガソリンスタンドで説明したが、デパートやスーパーマーケット等の小売店でも同様に適用できる。
【００７５】
以上、本発明を実施の形態により説明したが、本発明の趣旨の範囲内において、本発明は、種々の変形が可能であり、本発明の範囲からこれらを排除するものではない。
【００７６】
（付記１）利用者のカード取引に伴う、商品登録処理を行うＰＯＳ端末と、クレジットカード情報処理センターと交信して、カードの決済処理を行う複数のカード端末と、前記ＰＯＳ端末と前記複数のカード端末に接続され、且つ前記ＰＯＳ端末と前記カード端末とを連動するための登録テーブルを有するサーバとを有し、クレジットカードによる取引を行うに際し、前記サーバは、前記ＰＯＳ端末又は前記カード端末からの問い合わせに応じて、前記テーブルを参照して、前記ＰＯＳ端末又は前記一のカード端末と連動すべき前記一のカード端末又は前記ＰＯＳ端末を自動決定し、前記決定された前記一のカード端末と前記ＰＯＳ端末の連動により、前記クレジットカードの取引処理を実行することを特徴とするクレジットカード取引システム。
【００７７】
（付記２）前記サーバの前記テーブルは、前記ＰＯＳ端末と前記カード端末との使用情報を格納し、前記サーバは、前記ＰＯＳ端末又は前記カード端末からの問い合わせに応じて、前記テーブルの使用情報を参照して、使用されていない一のカード端末又は前記ＰＯＳ端末を自動決定することを特徴とする付記１のクレジットカード取引システム。
【００７８】
（付記３）前記サーバの前記テーブルは、前記ＰＯＳ端末と前記カード端末とのエリア情報を格納し、前記サーバは、前記ＰＯＳ端末又は前記カード端末からの問い合わせに応じて、前記テーブルのエリア情報を参照して、対応するエリアの一のカード端末又は前記ＰＯＳ端末を自動決定することを特徴とする付記１のクレジットカード取引システム。
【００７９】
（付記４）前記ＰＯＳ端末は、前記利用者のカードを読み取り、前記カード端末に前記読み取ったカード情報を送信することを特徴とする付記１のクレジットカード取引システム。
【００８０】
（付記５）前記カード端末は、前記利用者のカードを読み取り、前記ＰＯＳ端末の決済依頼に応じて、前記読み取った利用者のカード情報により、前記クレジットカード情報処理センターに与信チエックを依頼することを特徴とする付記１のクレジットカード取引システム。
【００８１】
（付記６）前記カード端末は、無線モバイル端末からなることを特徴とする付記５のクレジットカード取引システム。
【００８２】
（付記７）前記サーバは、前記カード端末の初期設定値を登録したテーブルを有し、前記カード端末の各々に、前記初期設定値をダウンロードして、前記カード端末を初期化することを特徴とする付記１のクレジットカード取引システム。
【００８３】
（付記８）利用者のカード取引に伴う、商品登録処理を行うＰＯＳ端末と、クレジットカード情報処理センターと交信して、カードの決済処理を行うカード端末とを連動して、カード取引を行うクレジットカード取引システムの端末連動方法において、前記ＰＯＳ端末と前記カード端末とを連動するための登録テーブルを有するサーバに、前記ＰＯＳ端末又は前記カード端末からの問い合わせを行うステップと、前記問い合わせに応じて、前記テーブルを参照して、前記ＰＯＳ端末又は前記一のカード端末と連動すべき前記一のカード端末又は前記ＰＯＳ端末を自動決定するステップと、前記決定された前記一のカード端末と前記ＰＯＳ端末の連動により、前記クレジットカードの取引処理を実行するステップとを有することを特徴とするクレジットカード取引システムの端末連動方法。
【００８４】
（付記９）前記サーバの前記テーブルは、前記ＰＯＳ端末と前記カード端末との使用情報を格納し、自動決定ステップは、前記ＰＯＳ端末又は前記カード端末からの問い合わせに応じて、前記テーブルの使用情報を参照して、使用されていない一のカード端末又は前記ＰＯＳ端末を自動決定するステップからなることを特徴とする付記８のクレジットカード取引システムの端末連動方法。
【００８５】
（付記１０）前記サーバの前記テーブルは、前記ＰＯＳ端末と前記カード端末とのエリア情報を格納し、前記自動決定ステップは、前記ＰＯＳ端末又は前記カード端末からの問い合わせに応じて、前記テーブルのエリア情報を参照して、対応するエリアの一のカード端末又は前記ＰＯＳ端末を自動決定するステップからなることを特徴とする付記８のクレジットカード取引システムの端末連動方法。
【００８６】
（付記１１）前記取引実行ステップは、前記ＰＯＳ端末が、前記利用者のカードを読み取り、前記カード端末に前記読取ったカード情報を送信するステップを有することを特徴とする付記８のクレジットカード取引システムの端末連動方法。
【００８７】
（付記１２）前記取引実行ステップは、前記カード端末が、前記利用者のカードを読み取り、前記ＰＯＳ端末の決済依頼に応じて、前記読取った利用者のカード情報により、前記クレジットカード情報処理センターに与信チエックを依頼するステップを有することを特徴とする付記８のクレジットカード取引システムの端末連動方法。
【００８８】
（付記１３）前記サーバは、前記カード端末の初期設定値を登録したテーブルを有し、前記カード端末の各々に、前記初期設定値をダウンロードして、前記カード端末を初期化するステップとを更に有することを特徴とする付記８のクレジットカード取引システムの端末連動方法。
【産業上の利用可能性】
【００８９】
このように、カード決済端末とＰＯＳ端末とを動的に連動できるため、複数のカード決済端末とＰＯＳ端末を備えたシステムの利便性を向上でき、その導入、普及に寄与する。
【図面の簡単な説明】
【００９０】
【図１】本発明の一実施の形態のクレジットカード取引システムの構成図である。
【図２】図１のクレジットカード取引システムのブロック図である。
【図３】図１の機器登録テーブルの構成図である。
【図４】本発明の一実施の形態のクレジットカード取引処理の説明図である。
【図５】図４の実施の形態の連動端末選択処理フロー図である。
【図６】図５の連動端末選択動作の説明図である。
【図７】図４のＰＯＳ端末とカード端末との電文処理の説明図である。
【図８】図１のシステムの端末設定情報テーブルの構成図である。
【図９】図８のテーブルを利用した端末初期化動作の説明図である。
【図１０】本発明の他の実施の形態のクレジットカード取引システムの構成図である。
【図１１】図１０のクレジットカード取引システムのブロック図である。
【図１２】従来のクレジットカード取引システムの説明図である。
【符号の説明】
【００９１】
１、１−１、１−２、１−３、１−４  カード端末
２、２−１、２−２  ＰＯＳ端末
３  クレジットカード情報処理センター
４−１、４−２  サーバ
５  ファイル装置
６  無線アクセスポイント
７−１、７−２  ルータ
８  本部システム
９  ＬＡＮ
１０，２０  ＣＰＵ
１１，２１  メモリ
１２、１３、２２  通信制御部
１４、２４  キー入力部
１６、２３  表示部
１５、１７、２９  カード入力部
１８  暗号処理機構
【図１】
2005128843.tif 000003
【図２】
2005128843.tif 000004
【図３】
2005128843.tif 000005
【図４】
2005128843.tif 000006
【図５】
2005128843.tif 000007
【図６】
2005128843.tif 000008
【図７】
2005128843.tif 000009
【図８】
2005128843.tif 000010
【図９】
2005128843.tif 000011
【図１０】
2005128843.tif 000012
【図１１】
2005128843.tif 000013
【図１２】
2005128843.tif 000014